(57)【特許請求の範囲】
【請求項１】
リール本体と、
前記リール本体に回転可能に支持されるスプールと、
前記リール本体に固定されるステータ、及び前記ステータの外周側に配置され前記スプールを回転駆動するロータを有するモータと、
を備え、
前記ステータは、前記スプールの回転軸と同心に配置され、
前記ロータは、少なくとも一部が前記スプールの糸巻胴部内に収容される、
電動リール
【請求項２】
前記スプールの回転軸に沿って延びる出力軸部材をさらに備え、
前記ロータは、前記出力軸部材と一体的に回転可能である、
請求項１に記載の電動リール。
【請求項３】
前記出力軸部材の回転を減速して前記スプールへと伝達する遊星歯車機構をさらに備える、
請求項２に記載の電動リール。
【請求項４】
前記スプールと前記ロータとは、一体的に回転する、
請求項１又は２に記載の電動リール。
【請求項５】
前記モータは、ブラシレスモータである、
請求項１から４のいずれかに記載の電動リール。
【請求項６】
前記ロータは、ケース部と、前記ケース部の内周面に取り付けられた複数の永久磁石とを有する、
請求項１から５のいずれかに記載の電動リール。
【請求項７】
前記ケース部は、前記スプールの内周面と間隔をあけて配置される、
請求項６に記載の電動リール。
【請求項８】
前記出力軸部材は、前記ケース部と一体的に回転する、
請求項２に従属する請求項６又は７に記載の電動リール。
【発明の詳細な説明】
【技術分野】
【０００１】
本発明は、電動リールに関するものである。
【背景技術】
【０００２】
一般的に、電動リールは、リール本体と、スプールと、モータとを備えている（例えば特許文献１参照）。スプールは、リール本体に対して回転可能である。モータは、スプールを回転駆動する。この結果、釣糸を自動的に巻き上げることができる。
【先行技術文献】
【特許文献】
【０００３】
【特許文献１】特開２００２−３４４０２号公報
【発明の概要】
【発明が解決しようとする課題】
【０００４】
大型の魚を釣り上げるためには、スプールを駆動するための駆動トルクが高い電動リールを使用する必要がある。駆動トルクを高くするためには、モータを大型化する必要があるが、モータを大型化すると電動リールも大きくなってしまうという問題がある。
【０００５】
本発明の課題は、大型化することなくスプールの駆動トルクを高くすることのできる電動リールを提供することにある。
【課題を解決するための手段】
【０００６】
本発明のある側面に係る電動リールは、リール本体と、スプールと、モータとを備えている。スプールは、リール本体に回転可能に支持される。モータは、ステータ及びロータを有する。ステータは、リール本体に固定される。ロータは、ステータの外周側に配置される。ロータは、スプールを回転駆動する。
【０００７】
本発明に係る電動リールは、ステータの外周側に配置されたロータが回転することによって、スプールを回転駆動する。このように、ロータがステータの外周側に配置されているため、ステータの内周側に配置されているロータに比べて、ロータの径が大きくなる。このため、スプールを回転駆動するための駆動トルクを高くすることができる。すなわち、電動リールを大型化することなく、スプールの駆動トルクを高くすることができる。なお、駆動トルクを従来の電動リールと同じとすれば、モータの大きさを小さくすることができ、ひいては、電動リールの小型化が図れる。
【０００８】
好ましくは、ステータは、スプールの回転軸と同心に配置されている。ロータは、少なくとも一部がスプール内に収容される。
【０００９】
好ましくは、リール本体は、第１リール本体部と第２リール本体部とを有する。第１リール本体部は、スプールの第１端部側に配置される。第２リール本体部は、スプールの第２端部側に配置される。ロータは、少なくとも一部が第１リール本体部又は第２リール本体部に収容される。
【００１０】
好ましくは、モータは、扁平型モータである。
【００１１】
好ましくは、電動リールは、スプールの回転軸に沿って延びる出力軸部材をさらに備える。ロータは、出力軸部材と一体的に回転可能である。
【００１２】
好ましくは、電動リールは、出力軸部材の回転を減速してスプールへと伝達する遊星歯車機構をさらに備える。
【００１３】
好ましくは、スプールとロータとは、一体的に回転する。
【００１４】
好ましくは、モータは、ブラシレスモータである。
【発明の効果】
【００１５】
本発明に係る電動リールは、大型化することなくスプールの駆動トルクを高くすることができる。
【図面の簡単な説明】
【００１６】
【図１】電動リールの斜視図。
【図２】電動リールの断面図。
【図３】変形例１に係る電動リールの断面図。
【図４】変形例２に係る電動リールの一部を示す断面図。
【発明を実施するための形態】
【００１７】
以下、本発明に係る電動リールの実施形態について図面を参照しつつ説明する。図１は、電動リールの斜視図、図２は電動リールの断面図である。なお、以下の説明において、軸方向とは、スプール２の回転軸が延びる方向を示す。具体的には、図２の左右方向が軸方向である。なお、スプール２の回転軸とは、スプール２の中心軸に相当する。また、径方向とは、スプール２の回転軸を中心とした円の径方向を示す。
【００１８】
図１に示すように、電動リール１００は、リール本体１、スプール２、及びモータ３を備えている。また、電動リール１００は、ハンドル４、カウンターケース５、及び回転伝達機構６（図２参照）なども備えている。
【００１９】
リール本体１は、第１リール本体部１１と、第２リール本体部１２とを有している。第１リール本体部１１と第２リール本体部１２とは、軸方向に互いに間隔をあけて配置されている。詳細には、第１リール本体部１１はスプール２の第１端部側に配置され、第２リール本体部１２はスプール２の第２端部側に配置される。第１リール本体部１１と第２リール本体部１２とは、互いに連結部１３を介して連結されている。
【００２０】
図２に示すように、リール本体１は、第１側板１１ａと、第１カバー１１ｂと、第２側板１２ａと、第２カバー１２ｂと、を有する。第１側板１１ａと第２側板１２ａとは、連結部１３によって連結されている。この第１側板１１ａ、第２側板１２ａ、及び連結部１３は、一体的に形成されており、リール本体１のフレームを構成している。例えば、第１側板１１ａ、第２側板１２ａ、及び連結部１３は、アルミ合金でダイキャスト成形によって一体的に形成されている。
【００２１】
第１リール本体部１１は、第１側板１１ａと、第１カバー１１ｂとを有している。また、第１リール本体部１１は、固定板１１ｃを有している。固定板１１ｃは、第１側板１１ａに固定されている。
【００２２】
第１リール本体部１１には、ハンドル４が回転可能に装着されている。図２に示すように、第１リール本体部１１の内部には、回転伝達機構６が収容されている。回転伝達機構６は、ハンドル４の回転をスプール２に伝達する機構である。また、回転伝達機構６は、モータ３の回転をスプール２に伝達する機構でもある。
【００２３】
図１に示すように、カウンターケース５は、リール本体１の上部に装着されている。カウンターケース５は、第１リール本体部１１と第２リール本体部１２との間に配置されている。カウンターケース５は、水深などを表示する。
【００２４】
図２に示すように、スプール２は、リール本体１に回転可能に支持されている。詳細には、スプール２は、第１リール本体部１１と第２リール本体部１２との間に配置されている。スプール２は、略円筒形状であって、内部に空間を有している。このスプール２内にモータ３が収容されている。スプール２の外周面には釣糸が巻き付けられる。
【００２５】
スプール２の第１端部は、第１リール本体部１１に回転可能に支持されている。詳細には、スプール２の第１端部は、軸受部材２１を介して第１リール本体部１１に支持されている。より詳細には、スプール２の第１端部は固定板１１ｂに支持されている。
【００２６】
スプール２の第２端部は、第２リール本体部１２に回転可能に支持されている。詳細には、スプール２の第２端部は、軸受部材２２を介して第２リール本体部１２に支持されている。より詳細には、スプール２の第２端部は、第２側板部１２ａに支持されている。
【００２７】
出力軸部材７は、スプール２の回転軸に沿って延びる。詳細には、出力軸部材７は、スプール２の回転軸と同心に配置されている。出力軸部材７は、リール本体１に回転可能に支持されている。詳細には、出力軸部材７の第１端部は、第１リール本体部１１に回転可能に支持されている。また、出力軸部材７の第２端部は、第２リール本体部１２に回転可能に支持されている。
【００２８】
モータ３は、スプール２を回転駆動する。詳細には、モータ３は、遊星歯車機構８を介して、スプール２を回転駆動する。モータ３は、ステータ３１とロータ３２とを有する。また、モータ３は、ロータ３２の回転位置を検出するセンサ３３なども有している。モータ３は、アウターロータ型のブラシレスモータである。モータ３は、スプール２内に収容されている。
【００２９】
ステータ３１は、リール本体１に固定されている。詳細には、ステータ３１の一方の端部が、第２リール本体部１２に固定されている。より詳細には、ステータ３１の一方の端部が、第２側板１２ａに固定されている。なお、ステータ３１は、リール本体１に直接固定されていてもよいし、取付部材などの他の部材を介してリール本体１に固定されていてもよい。
【００３０】
ステータ３１は、複数のコイル部３１２を有している。各コイル部３１２は、互いに周方向に間隔をあけて配置される。なお、各コイル部３１２は、コア及び巻線を含む。また、ステータ３１は、基台部３１３を有している。各コイル部３１２は、基台部３１３に取り付けられている。
【００３１】
ステータ３１は、略円柱形状である。ステータ３１は、スプール２の回転軸と同心に配置されている。ステータ３１は、その中心軸を延びる貫通孔３１１を有している。この貫通孔３１１内を、上述した出力軸部材７が延びている。なお、出力軸部材７は、ステータ３１に対して回転可能である。
【００３２】
ロータ３２は、ステータ３１の外周側に配置されている。ロータ３２は、スプール２を回転駆動する。ロータ３２は、ケース部３２１と、複数の永久磁石３２２とを有している。ケース部３２１は、円筒形状である。各永久磁石３２２は、ケース部３２１の内周面に取り付けられている。詳細には、周方向において磁極が交互に配置されるように、各永久磁石３２２が配置されている。
【００３３】
ロータ３２は、少なくとも一部がスプール２内に収容されている。なお、本実施形態では、ロータ３２の全てがスプール２内に収容されている。
【００３４】
ロータ３２は、略円筒形状である。ロータ３２の一方端面は、開口している。第２リール本体部１２に固定されたステータ３１は、この開口したロータ３２の一方端面を介してロータ３２内を延びている。詳細には、各コイル部３１２はロータ３２内に配置され、基台部３１３はロータ３２の外部に配置される。
【００３５】
ロータ３２は、出力軸部材７と一体的に回転する。詳細には、ロータ３２は、出力軸部材７に固定されている。なお、ロータ３２は、出力軸部材７と１つの部材によって形成されていてもよい。
【００３６】
センサ３３は、ロータ３２の回転位置を検出する。センサ３３は、例えばホール素子などの磁気センサである。センサ３３は、ステータ３１の基台部３１３に取り付けられている。
【００３７】
回転伝達機構６は、遊星歯車機構８を有する。遊星歯車機構８は、出力軸部材７の回転を減速してスプール２へと伝達するように構成されている。詳細には、遊星歯車機構８は、太陽歯車８１、複数の遊星歯車８２、遊星キャリア８３、及び内歯車８４を有している。
【００３８】
太陽歯車８１は、出力軸部材７に固定されている。このため、太陽歯車８１は、出力軸部材７と一体的に回転する。すなわち、太陽歯車８１は、ロータ３２と一体的に回転する。なお、太陽歯車８１は、出力軸部材７と１つの部材によって形成されていてもよい。
【００３９】
各遊星歯車８２は、太陽歯車８１の外周側に配置される。各遊星歯車８２は、周方向において、互いに間隔をあけて配置される。遊星キャリア８３は、各遊星歯車８２を回転可能に支持する。遊星キャリア８３は、出力軸部材７に回転可能に支持されている。すなわち、遊星キャリア８３は、出力軸部材７と相対回転可能である。
【００４０】
内歯車８４は、スプール２の内周面に形成されている。なお、内歯車８４は、スプール２の内周面に直接形成されていてもよいし、スプール２の内周面に固定されていてもよい。
【００４１】
以上説明した本実施形態に係る電動リール１００は、ステータ３１の外周側に配置されたロータ３２が回転することによって、スプール２を回転駆動する。このように、ロータ３２がステータ３１の外周側に配置されているため、ステータの内周側に配置されているロータに比べて、ロータ３２の径が大きくなる。この結果、スプール２を回転駆動するための駆動トルクを高くすることができる。すなわち、電動リール１００を大型化することなく、スプール２の駆動トルクを高くすることができる。なお、駆動トルクを従来の電動リールと同じとすれば、モータ３の大きさを小さくすることができ、ひいては、電動リール１００の小型化が図れる。
【００４２】
［変形例］
以上、本発明の実施形態について説明したが、本発明はこれらに限定されるものではなく、本発明の趣旨を逸脱しない限りにおいて種々の変更が可能である。
【００４３】
変形例１
上記実施形態では、ロータ３２は、全てがスプール２内に収容されているが、特にこれに限定されない。例えば、ロータ３２は、一部がスプール２内からはみ出していてもよいし、ロータ３２の少なくとも一部が第１リール本体部１１又は第２リール本体部１２に収容されていてもよい。
【００４４】
例えば、図３に示すように、ロータ３２は第２リール本体部１２に収容されている。詳細には、モータ３全体が第２リール本体部１２に収容されている。この構成によれば、スプール２の径を小さくすることができる。また、ロータ３２の径を、スプール２の径よりも大きくすることができるため、より高トルク化することができる。
【００４５】
なお、モータ３は、扁平型モータである。すなわち、モータ３は、径方向の寸法よりも、軸方向の寸法の方が小さい。このように構成することによって、第２リール本体部１２内の空間を有効に利用することができる。
【００４６】
変形例２
上記実施形態では、ロータ３２の回転は、遊星歯車機構８を介してスプール２に伝達されているが、特にこれに限定されない。例えば、スプール２とロータ３２とは、一体的に回転してもよい。詳細には、図４に示すように、スプール２の内周面にロータ３２が固定されていてもよい。他にも、スプール２の内周面に永久磁石３２２が取り付けられており、スプール２がロータ３２として機能してもよい。
【符号の説明】
【００４７】
１    リール本体
２    スプール
３    モータ
３１    ステータ
３２    ロータ
７    出力軸部材
８    遊星歯車機構
１００    電動リール
【図１】
0006433756.tif 000002
【図２】
0006433756.tif 000003
【図３】
0006433756.tif 000004
【図４】
0006433756.tif 000005